【事件の表示】
　特願２００９−２７１９９１「ビデオ信号処理装置を制御する方法及び装置」拒絶査定不服審判事件〔平成２２年　４月　８日出願公開、特開２０１０−　８１６３９〕について、次のとおり審決する。
【結　論】
　本件審判の請求は、成り立たない。
【理　由】
第１　経緯  
１．手続　
　本願は、平成１５年４月１５日（パリ条約による優先権主張外国庁受理２００２年４月２３日、アメリカ合衆国）を国際出願日とする出願である特願２００４−５００２８９号の一部を平成２１年１１月３０日に特許法第４４条第１項の規定により新たな特許出願（特願２００９−２７１９９１号）としたものであって、手続の概要は以下のとおりである。 
　
拒絶理由通知　　　　　　　　：平成２４年　４月　４日（起案日）
手続補正　　　　　　　　　　：平成２４年１０月１０日
拒絶理由通知　　　　　　　　：平成２５年　１月　４日（起案日）
拒絶査定　　　　　　　　　　：平成２５年　８月　７日（起案日）
拒絶査定不服審判請求　　　　：平成２５年１２月１１日
　
２．査定
　原審での査定の理由は、概略、以下のとおりである。
　本願の請求項１ないし４に係る発明は、下記刊行物に記載された発明および周知技術に基づいて当業者が容易に発明をすることができたものであるから、特許法第２９条第２項の規定により、特許を受けることができない。
　　　　　記　
刊行物１：特開平１１−２８９５２０号公報
刊行物２：特開平１０−２２４７０７号公報
　
第２　本願発明
　本願の請求項１に係る発明（以下「本願発明」という。）は、平成２４年１０月１０日付け手続補正書の特許請求の範囲の請求項１に記載された事項により特定される次のとおりのものである。
　
　　【請求項１】
　ビデオ信号処理装置を制御する方法であって、
　ビデオ信号源から第１のビデオ信号及び第２のビデオ信号を受信する段階と、
　イメージャ装置上に表示するのに好適な、前記第１のビデオ信号の画像を含む出力信号を供給するよう前記ビデオ信号を処理する段階と、
　ユーザ入力装置を介してユーザ選択コマンドを受信する段階と、
　複数のユーザ作動表示機能のうちの特定の１つのユーザ選択に応答して、前記複数のユーザ作動表示機能のうちの１つに応じた、前記第１のビデオ信号の画像上にオーバレイして前記第２のビデオ信号の画像を含む出力信号を供給する段階と、
　前記出力信号をビデオ信号記録装置に結合するための出力端子に、前記第１のビデオ信号の画像を含む出力信号、又は前記第１のビデオ信号の画像上にオーバレイして前記第２のビデオ信号の画像を含む出力信号を供給する段階と、
　記録機能のユーザ選択に応答して前記記録機能の作動を検出し、前記記録機能の作動の検出に応答して、
　　前記複数のユーザ作動表示機能のうちの前記特定の１つが作動しているかを、アクティブにされているユーザ作動表示機能を指し示すフラグ設定を用いることによって検出し、作動している場合、前記の、以前の、複数のユーザ作動表示機能のうちの特定の１つのユーザ選択を自動的に無効にし、前記出力端子に前記第１のビデオ信号の画像を含む出力信号を供給する段階と、
　を含む方法。
　
第３　刊行物に記載された発明
　原査定の拒絶の理由に引用され、本願のもととなる出願（特願２００４−５００２８９号）の優先日（２００２年４月２３日）前に頒布された刊行物である特開平１１−２８９５２０号公報（以下「刊行物１」という。）、特開平１０−２２４７０７号公報（以下「刊行物２」という。）には、それぞれ、図面とともに、次の事項が記載されている。
　
１．刊行物１の記載
【０００１】
【発明の属する技術分野】動画像データを高能率符号化するISO/IECの国際規格、MPEG-2等にて符号化された動画像データを送信するディジタルデータ送受信システムに係り、符号化された動画像データを復号して出力するディジタルデータのデコーダ装置及び表示するディジタルデータの受信機に関する。なお、以下においては、本発明をディジタル放送に適用したものについて説明するが、これに限らず、同様の仕組みで本発明をデータ通信などのデータの送受信に関するものに適用することもできる。
　
【００１６】図１は本発明の第１の実施例であり、本発明をディジタル放送の受信機に適用した構成図である。図１において、1はディジタル放送アンテナ、2はディジタル放送チューナ、3はフロントエンド回路、4はデスクランブラ、5はトランスポートデマルチプレクサ、6はクロック発生器、7はシステムコントローラ、8はメモリ、9はメモリインタフェース、10はメモリバス、11はビデオヘッダパーサ、12はビデオデコーダ、13は第１のオンスクリーンディスプレイ回路(OSD回路と以下記す)、14はリフォーマッタ、15は第２のOSD回路、16は第１のディジタル・アナログ変換器(DACと以下記す)、17はモニタ駆動回路、18モニタ、19はオーディオヘッダパーサ、20はオーディオデコーダ、21は第２のDAC、22はスピーカ駆動回路、23はスピーカである。
【００１７】放送電波をディジタル放送アンテナ1で受け、ディジタル放送チューナ2で周波数変換する。フロントエンド回路3は例えば8-PSK変調されている受信信号を復調し、さらに伝送誤りを誤り訂正パリティを用いて補正し、トランスポートストリームを出力する。該トランスポートストリームは、有料放送においてはその主なディジタルデータは、スクランブルされたものとなっており、システムコントローラ7からの鍵情報を補助入力として(システムコントローラ7の周りの詳細な結線は、図面を煩雑にしてしまうため省略している)、デスクランブラ4でスクランブルを解除する。またトランスポートストリームには、幾つかの異なる内容の番組が多重化されることが一般的であり、トランスポートデマルチプレクサ5は、この複数の番組の中から使用者の希望する番組をシステムコントローラ7を介して指示を受け、1つの番組を分離し、さらに符号化された動画像データを構成する符号化ビデオデータと符号化オーディオデータに分離し、それぞれの符号化データをメモリバス10、メモリインタフェース9を介し、メモリ8の中の専用領域の中に一時格納する。
　
【００２０】第1のOSD回路13は、ビデオデコーダ12の出力画像データにオンスクリーンデータをミックスする。ミックスするオンスクリーンデータは、前記したクローズドキャプションの字幕データからシステムコントローラ7が表示用に加工したデータである。該表示用に加工したデータは、予め第1のOSD回路13に送出する前にメモリ8に格納しており、第1のOSD回路13が出力画像データに合わせてデータを要求する度に、メモリインタフェース9、メモリバス10を介して、第1のOSD回路13に供給し、出力画像データとオンスクリーンデータを同期させて混合する。さらに混合した画像データは、リフォーマッタ14に供給する。
　
【００２５】図１に戻り、さらに説明を続ける。リフォーマッタ14の出力は、第2のOSD回路15に入力する。該第2のOSD回路15は、例えば番組ガイドなどのグラフィックスデータを、入力画像データにミックスする。グラフィックスデータがミックスされた第2のOSD回路15の出力は、第1のDAC16にてアナログ信号に変換され、モニタ駆動回路17を介して、モニタ18の画面に表示する。
【００２６】前記第2のOSD回路15でミックスするグラフィックスデータは、前記システムコントローラ7が生成し、予めメモリ8に貯えさせておいて、第2のOSD回路15がシステムコントローラ7の指示に基づいてメモリ8から読み出すものである。例えば番組ガイドの場合、その内容については、前記したデマルチプレクサ5がトランスポートストリームから分離した番組多重テーブル情報に沿って、文字コードをフォント変換してグラフィックスデータとし、背景のグラッフィックスと混合して生成する。該第2のOSD回路15で混合するグラフィックスデータは、リフォーマッタ14の出力の画像フォーマットに準拠したものであり、ビデオデコーダ12がデコードする符号化ビデオデータの画像フォーマットではない。このため、文字等のグラッフィクスデータは、その後大きな処理を受けずにモニタ18に表示し、高画質なグラッフィクスデータを表示できる。番組ガイドは、ユーザが番組を選択するに際し用いられるものであり、高画質な文字のグラッフィクスデータを表示できることは、ユーザインタフェースの高品質化につながるものである。
　
【００３３】図５は、各種入力画像フォーマットに対し、第2のリフォーマッタ24でSDTVの出力を得るためのサイズ変換比、およびセレクタ141〜144の設定を示す図である。さらに第2のリフォーマッタ24の出力は、第3のDAC、記録出力回路26を介して、記録装置27への記録を行う。なお記録装置27は、本発明のデコーダ装置および受信機と同一の装置として構成しても良いが、別々の装置として提供しても良いことは言うまでもない。
　
【００４０】図７において、30はアナログ放送アンテナ、31はアナログ放送チューナ、32はNTSCデコーダ、33は入力プロセッサである。アナログ放送アンテナ30、およびアナログ放送チューナ31は、従来のアナログ放送を受信するためのものである。アナログ放送を受信したビデオ信号をモニタ18に表示させることをユーザが選択する場合には、然るべきユーザインタフェース(例えば図示していないリモコン装置)を介し、システムコントローラ7が通知を受け、そのことを必要なブロックに転送する。本モードにおいて、アナログ放送アンテナ30で受信し、アナログ放送チューナ31で周波数変換したアナログ放送信号は、NTSCデコーダ32にて、コンポーネント(輝度信号と色差信号が分離された)信号に変換する。該コンポーネント信号は、入力プロセッサ33、セレクタ40、リフォーマッタ14を介して、メモリバス10、メモリインタフェース9を経てメモリ8に格納する。
【００４１】図８は、NTSCデコーダ32と入力プロセッサ33の構成図である。図８において、321はくし型フィルタ、322はカラーデコーダ、323は輝度信号遅延回路、324は同期分離回路、331、332、333は第1から第3のアナログ・ディジタル変換器(以下ADCと記す)、334はマルチプレクサ、335はアナログクロック発生器、336はイネーブル信号生成器、337はアドレス生成器である。
【００４２】アナログ放送チューナ31より入力するアナログビデオ信号は、周知のごとく輝度信号と2つの色差信号を多重したコンポジット信号である。このコンポジット信号の形式には、日本、北米で用いられているNTSC方式と欧州(仏を除く)で用いられているPAL方式、仏、露で用いられているSECAM方式があるる。本図ではNTSC方式の場合について説明しているが、本発明がNTSC方式に限定されるものではなく、PAL方式、SECAM方式に適用できることは言うまでもない。前記アナログ放送チューナ31より入力するNTSC信号はくし形フィルタ321で輝度信号と色信号とを分離し、色信号はカラーデコーダ322で例えば(R-Y)と(B-Y)と呼んでいる2つの色差信号を生成する。一方輝度信号は輝度信号遅延回路323にて、前記2つの色差信号とで遅延時間を一致させる。また同期分離回路324では、NTSC信号の水平ならびに垂直同期信号を検出する。これら色差信号、輝度信号、水平および垂直同期信号は、入力プロセッサ33に出力する。
　
【００４８】次に図９を用いて、本発明の第5の実施例について説明する。これまでの実施例の説明と同様、重複する部分の説明は割愛する。
【００４９】図９において、34は第3のリフォーマッタ、35はPinPミキサである。
【００５０】前述したように入力プロセッサ33は、アナログ放送のビデオ信号をデジタル変換するが、該出力は第3のリフォーマッタ34に供給する。該第3のリフォーマッタ34も図2で説明したものと同一構成のものである。第3のリフォーマッタ34は、アナログ放送のビデオ信号を、メモリ8を用いながら任意の画像ーフォーマットに変換し、変換後の出力をPinPミキサ35に出力する。本実施例は、前記第4の実施例と異なり、アナログ放送のビデオ信号をデジタル変換した画像データと前記ビデオデコーダ12でディジタル放送の符号化ビデオストリームをデコードして得る画像データの両方をメモリ8に格納する。第1のリフォーマッタ14は、ディジタル放送の画像データを任意の画像フォーマットにメモリ8を用いて変換する。また前記第3のリフォーマッタ34は、アナログ放送の画像データをディジタル放送の画像データと同一の水平、垂直同期信号に変換するフレームシンクロナイズ機能を有しており、これら2つの画像データは、PinPミキサ35にて合成する。合成された画像データは、第1のDAC16、モニタ駆動回路17を経由し、モニタ18に映し出す。
【００５１】このように本実施例では、ピクチャインピクチャの表示形式を用いてアナログ放送とディジタル放送の両方の受信画像を同時表示できる。具体的には、フルサイズのディジタル放送受信画像の任意の位置にウィンドウを設け、これに縮小されたアナログ放送受信画像をはめ込んだり、これに対してディジタル放送受信画像とアナログ放送受信画像を逆にしたり、概略同サイズのウィンドウをTV画面内に2個設け、それぞれのウィンドウにディジタル放送受信画像とアナログ放送受信画像を映し出したりすることができる。
　
【００５３】図10は、本発明の第6の実施例である。本実施例においては、これまでの実施例で用いられてきたブロックのみが用いられており、新たなるものはない。本実施例を図９の第5の実施例と比較すれば、図６の第3の実施例で説明した第2のリフォーマッタ24、第3のDAC、記録出力回路26、記録装置27、ダウンミキサ28、第4のDACが追加される。これらのブロックは、ディジタル放送のデコードした動画像データの録画用に設けられているものであり、第2のリフォーマッタ24は、第1のリフォーマッタ14、第3のリフォーマッタ34と独立にディジタル放送のデコードした画像データをメモリ8から読み出して、録画用にSDTVの画像フォーマットに変換している。この結果、本実施例ではモニタ18に表示する画像データがアナログ放送によるものかディジタル放送によるものか、あるいは両方をピクチャインピクチャの形式によるものかのいかんに関らず、独立してディジタル放送のデコードした動画像データを記録装置27に記録することを可能にさせる。
　
２．刊行物１発明　
　以上の刊行物１の記載からみて、刊行物１には、次の発明が記載されている。
　以下では、具体的な実施例として、図１０を用いて説明された第６の実施例について検討する。第６の実施例の詳細な説明では、「図10は、本発明の第6の実施例である。本実施例においては、これまでの実施例で用いられてきたブロックのみが用いられており、新たなるものはない。」（【００５３】）との記載があるから、それ以前の実施例の記載も参酌して第６の実施例の構成を検討する。　
　
（２ａ）「動画像データを復号して出力するディジタルデータのデコーダ装置及び表示するディジタルデータの受信機」
　上記【０００１】の記載によれば、刊行物１には、ディジタル放送に適用した、符号化された動画像データを復号して出力するディジタルデータのデコーダ装置及び表示するディジタルデータの受信機に関する発明が開示されているといえる。通常、ディジタル放送に適用した「符号化された動画像データを復号して出力するディジタルデータのデコーダ装置及び表示するディジタルデータの受信機」といえば、ディジタル放送を用いて送信された（表示するための）ディジタルデータ（符号化された動画像データ）を受信し、上記受信した符号化された動画像データを復号して出力するデコーダ装置及び受信機といえるから、刊行物１には「ディジタル放送を用いて送信された符号化された動画像データを受信し、上記受信した符号化された動画像データを復号して出力する受信機」に関する発明が開示されているといえる。
　
（２ｂ）チューナ２等、チューナ３１等
　図１０には、ディジタル放送アンテナ１、チューナ２、フロントエンド回路３、デスクランブラ４、トランスポートデマルチプレクサ５、アナログ放送アンテナ３０、チューナ３１、NTSCデコーダ３２が記載されている。
　ディジタル放送アンテナ１、チューナ２、フロントエンド回路３、デスクランブラ４、トランスポートデマルチプレクサ５は、【００１６】、【００１７】の記載によれば、「放送電波をディジタル放送アンテナ1で受け、ディジタル放送チューナ2で周波数変換する。フロントエンド回路3は例えば8-PSK変調されている受信信号を復調し、さらに伝送誤りを誤り訂正パリティを用いて補正し、トランスポートストリームを出力・・トランスポートストリームには、幾つかの異なる内容の番組が多重化されることが一般的であり、トランスポートデマルチプレクサ5は、この複数の番組の中から使用者の希望する番組をシステムコントローラ7を介して指示を受け、1つの番組を分離」しているから、放送電波から１つの番組を分離している。
　したがって、ディジタル放送アンテナ１、チューナ２、フロントエンド回路３、デスクランブラ４、トランスポートデマルチプレクサ５により、ディジタル放送電波を受信し、一つの番組の信号を得ているといえるから、デジタル放送の番組の信号を受信しているといえる。
　また、アナログ放送アンテナ３０、チューナ３１、NTSCデコーダ３２は、【００４０】ないし【００４２】の記載によれば、従来のアナログ放送を受信するためのものであって、アナログ放送アンテナ30で受信し、アナログ放送チューナ31で周波数変換したアナログ放送信号は、NTSCデコーダ32にて、コンポーネント(輝度信号と色差信号が分離された)信号に変換する構成であるといえる。
　したがって、アナログ放送アンテナ３０、チューナ３１、NTSCデコーダ３２により、アナログ放送電波を受信し、一つの番組の（コンポーネント）信号を得ているといえるから、アナログ放送の番組の信号を受信しているといえる。
　以上まとめると、刊行物１には、デジタル放送の番組の信号を受信すること、及びアナログ放送の番組の信号を受信することが記載されている。
　
（２ｃ）表示手段
　上記図１０に係る実施例では、【００５３】の記載によれば「本実施例ではモニタ18に表示する画像データがアナログ放送によるものかディジタル放送によるものか、あるいは両方をピクチャインピクチャの形式によるものかのいかんに関らず、独立してディジタル放送のデコードした動画像データを記録装置27に記録することを可能にさせる。」とあるから、ディジタル放送による画像データがモニタ１８に表示されることが記載されているといえる。
　上記ディジタル放送による画像データは、モニタ１８に表示されるのであるから、表示されるのに必要な処理がなされモニタ１８に供給されていることは明らかである。
　したがって、刊行物１には、ディジタル放送による画像データは、表示されるのに必要な処理がなされモニタ１８に供給されることが記載されている。
　
（２ｄ）表示画像
　上記【００５３】には「モニタ18に表示する画像データがアナログ放送によるものかディジタル放送によるものか、あるいは両方をピクチャインピクチャの形式によるものかのいかんに関らず」の記載があり、アナログ放送表示、ディジタル放送表示、ピクチャインピクチャの形式による表示がそれぞれ可能であることが記載されているといえる。「アナログ放送表示」、「ディジタル放送表示」、「ピクチャインピクチャ（の形式による）表示」がそれぞれ可能な構成であれば、通常のテレビであれば、ユーザがリモコン等の操作手段を用いて「アナログ放送表示」、「ディジタル放送表示」、「ピクチャインピクチャ表示」を適宜選択することを可能とする手段を有することは明らかである。
　したがって、刊行物１には、ユーザが、リモコン等の操作手段を用いて「アナログ放送表示」、「ディジタル放送表示」、「ピクチャインピクチャ表示」を適宜選択する構成が開示されているといえる。
　
（２ｅ）ピクチャインピクチャ表示
　図１０に係る実施例は、PinPミキサ３５を有している。
　上記PinPミキサ３５は、発明の詳細な説明の【００５０】によれば、「アナログ放送のビデオ信号をデジタル変換した画像データと前記ビデオデコーダ12でディジタル放送の符号化ビデオストリームをデコードして得る画像データの両方をメモリ8に格納する。第1のリフォーマッタ14は、ディジタル放送の画像データを任意の画像フォーマットにメモリ8を用いて変換する。また前記第3のリフォーマッタ34は、アナログ放送の画像データをディジタル放送の画像データと同一の水平、垂直同期信号に変換するフレームシンクロナイズ機能を有しており、これら2つの画像データは、PinPミキサ35にて合成する。合成された画像データは、第1のDAC16、モニタ駆動回路17を経由し、モニタ18に映し出す。」と記載されている。
　したがって、PinPミキサ３５は、ディジタル放送の画像データとアナログ放送の画像データ（をディジタル放送の画像データと同一の水平、垂直同期信号に変換したデータ）とを合成し、合成した信号（PinP信号）をモニタ１８に映し出すことができるように出力しているといえる。
　よって、刊行物１には、ディジタル放送の画像データとアナログ放送の画像データ（をディジタル放送の画像データと同一の水平、垂直同期信号に変換したデータ）とを合成した信号（PinP信号）をモニタ１８に映し出すことができるように出力する構成が開示されているといえる。
　また、上記２ｄ）によれば、ユーザが、リモコン等の操作手段を用いて「アナログ放送表示」、「ディジタル放送表示」、「ピクチャインピクチャ表示」を適宜選択する構成が開示されているといえるのであるから、上記ディジタル放送の画像データとアナログ放送の画像データとを合成した信号（PinP信号）をモニタ１８に映し出すのは、ユーザがリモコン等の操作手段を用いて「ピクチャインピクチャ表示」を選択したときであるといえる。
　以上のことから、刊行物１には、ユーザがリモコン等の操作手段を用いて「ピクチャインピクチャ表示」を選択したとき、ディジタル放送の画像データとアナログ放送の画像データとを合成した信号（PinP信号）をモニタ１８に映し出す構成が開示されているといえる。
　
（２ｆ）記録のための出力と表示のための出力
　上記（２ｅ）にあるように、モニタ１８はディジタル放送の画像データとアナログ放送の画像データとを合成した信号（PinP信号）を表示することができるから、ディジタル放送の画像データとアナログ放送の画像データとを合成した信号（PinP信号）は表示のために出力しているといえる。
　これに対して、刊行物１の【００５３】にあるように、「モニタ18に表示する画像データがアナログ放送によるものかディジタル放送によるものか、あるいは両方をピクチャインピクチャの形式によるものかのいかんに関らず、独立してディジタル放送のデコードした動画像データを記録装置27に記録することを可能にさせる。」のであるから、（記録装置27に出力するための）出力端子に出力する信号は、ディジタル放送のデコードした動画像データの信号のみであるといえる。
　したがって、刊行物１には、ディジタル放送の画像データとアナログ放送の画像データとを合成した信号（PinP信号）は表示のために出力し、ディジタル放送のデコードした動画像データの信号のみ（記録装置27に出力するための）出力端子に出力する構成が開示されているといえる。
　
（２ｇ）まとめ
　以上、（２ａ）ないし（２ｆ）の記載によれば、刊行物１には、以下の技術事項が記載されているといえる。
　
　ディジタル放送を用いて送信された符号化された動画像データを受信し、上記受信した符号化された動画像データを復号して出力する受信機に関する技術であって、
　デジタル放送の番組の信号を受信すること、及びアナログ放送の番組の信号を受信すること、
　デジタル放送による画像データは、表示されるのに必要な処理がなされモニタ１８に供給され、
　ユーザが、リモコン等の操作手段を用いて「アナログ放送表示」、「ディジタル放送表示」、「ピクチャインピクチャ表示」を適宜選択し、
　ユーザがリモコン等の操作手段を用いて「ピクチャインピクチャ表示」を選択したとき、ディジタル放送の画像データとアナログ放送の画像データとを合成した信号（PinP信号）をモニタ１８に映し出し、
　ディジタル放送の画像データとアナログ放送の画像データとを合成した信号（PinP信号）は表示のために出力し、ディジタル放送のデコードした動画像データの信号のみ（記録装置27に出力するための）出力端子に出力する
技術。
　
　上記技術事項は、それぞれ、「デジタル放送の番組の信号を受信する段階」、「アナログ放送の番組の信号を受信する段階」、「モニタ１８に供給される段階」、「適宜選択する段階」、「映し出す段階」、「出力端子に出力する段階」を有する方法の発明としてとらえることができるから、刊行物１には、以下の方法の発明が記載されているといえる。
　
　ディジタル放送を用いて送信された符号化された動画像データを受信し、上記受信した符号化された動画像データを復号して出力する受信機に関する方法であって、
　デジタル放送の番組の信号を受信する段階、及びアナログ放送の番組の信号を受信する段階、
　ディジタル放送による画像データは、表示されるのに必要な処理がなされモニタ１８に供給される段階、
　ユーザが、リモコン等の操作手段を用いて「アナログ放送表示」、「ディジタル放送表示」、「ピクチャインピクチャ表示」を適宜選択する段階、
　ユーザがリモコン等の操作手段を用いて「ピクチャインピクチャ表示」を選択したとき、ディジタル放送の画像データとアナログ放送の画像データとを合成した信号（PinP信号）をモニタ１８に映し出す段階、
　ディジタル放送の画像データとアナログ放送の画像データとを合成した信号（PinP信号）は表示のために出力し、ディジタル放送のデコードした動画像データの信号のみ（記録装置27に出力するための）出力端子に出力する段階
　を有する方法。
　
３．刊行物２（特開平１０−２２４７０７号公報）の記載
【０００１】
【発明の属する分野】本発明は、ディジタル伝送方式で放送されたディジタル放送番組の録画設定や予約録画設定を行い、該録画設定に基づいてデジタル放送番組を記録再生装置に録画するのに好適のディジタル放送録画設定装置に関する。
　
【０００９】図７は従来におけるＣＳデジタル放送用受信機の回路構成の一例を示すブロック図である。
【００１０】図７に示すように、ディジタル放送用受信機１は、例えば、図示しないＣＳ放送局から送信された放送信号を受信するＣＳ専用の衛星アンテナ２と接続されている。衛星アンテナ２にて受信された放送信号は、選局回路３に供給される。選局回路３は、受信した放送信号から所定チャンネルを選局し、該チャンネルの受信信号を復調回路４に与える。復調回路４は、受信信号を復調して誤り訂正回路５に与える。
【００１１】誤り訂正回路５は、上述の伝送路符号化の逆の処理を行う回路であって、誤り訂正以外に、並び替え戻し処理（以下、デインターリーブと称す）及び同期信号の検出を行う。誤り訂正回路５によって誤り訂正されたデータは、デマルチプレクス回路６に与える。
【００１２】デマルチプレクス回路６は、多重化されたデータ列から映像データ、音声データ及び付加データを分離し、夫々デコード回路９に与える。デコード回路９は、入力データにデコード処理を施すことにより、圧縮符号化された映像・音声データを復元する。これにより、圧縮符号化される元のデータを得ることができる。その後、ＩＴＵ−Ｔ勧告６０１のフォーマットに戻された映像信号は、エンコード回路１０によりＮＴＳＣのアナログ信号に変換される一方、ＰＣＭのデジタル音声信号は音声Ｄ／Ａコンバータ１１によりアナログ信号に変換される。
【００１３】こうして、得られた映像信号及び音声信号を、例えば表示手段における信号処理回路に供給することにより、画面上には映像信号に基づく画像が表示され、また音声として再生することが可能となる。
　
【００２１】また、上述したように番組ガイドを使用した予約動作及びペイパービュー番組の購入動作などを、ユーザーが円滑に操作できるようにするために、受信機内部で発生させたキャラクターやグラフィックを画面上に表示させて操作方法の説明等を行うことの可能なオンスクリーン表示機能（以下、ＯＳＤと称す）が極めて有効であり、また実際に実用化されているものもある。図７に示すＣＳディジタル放送受信機についても、上記ＯＳＤ機能が搭載されており、回路構成的には通常、独自のＯＳＤ表示回路等を設けて構成するが、回路規模削減等の目的からデコード回路９内に組み込まれており、デコード回路９によってＯＳＤ表示するのに必要なキャラクターやグラフィックが発生されるようになっている。
　
【００２３】また、従来の他のＢＳ受信機等の映像出力には、テレビ出力とＶＴＲ出力が別々に設けられており、ＶＴＲ出力には録画を考慮してＯＳＤ信号を多重しないようになっている。しかし、ＣＳデジタル放送受信機には、１系統の映像出力しかないため、出力する出力信号には、録画するしないに関わらずチャンネル切替時や電源ＯＮ／ＯＦＦ時などの予め決められたタイミングでＯＳＤ信号が多重されてしまう。該ＣＳデジタル放送受信機も同様に２系統の映像出力を設けるように構成すればよいが、通常のＯＳＤ信号が多重されたテレビ出力と、ＯＳＤが多重されていないＶＴＲ出力とを夫々独立させるためには、デコード回路及びエンコード回路を新たに夫々設けなくてはならず、大幅にコストアップしてしまうという不都合がある。
　
【００２６】また、回路規模縮小に伴うコスト的な理由から、映像及び音声の出力系統が１系統しか設けられていないことから、この出力信号には録画するしないに関わらずＯＳＤ信号が重畳されてしまい、その結果必要のないＯＳＤ信号も一緒に録画されてしまうという不都合もあった。
　
【００２８】そこで、本発明は上記問題点に鑑みてなされたもので、コストアップすることなくＶＴＲと連動した録画予約を可能にし、録画開始時にはＯＳＤ信号の重畳を禁止させることにより、不要なＯＳＤ表示の録画を防止することのできるディジタル放送録画設定装置の提供を目的とする。
　
【００４５】いま、図１に示すディジタル放送録画設定装置２０の電源が投入され、番組の受信を開始したものとする、すると、制御回路２１は、起動して処理をステップＳ３０に移行する。つまり、該ステップＳ３０による処理では、ユーザーのキー操作によりチャンネル番号を入力し、次のステップＳ３１にて、受信データから分離した付加データを参照して、該当番組がペイパービュー番組であるかどうかを判断する。このとき、ペイパービュー番組であると判断した場合には、ステップＳ３２による処理にて、ユーザーによる購入動作を要求し、番組購入の有無の判定を行う。即ち、画面上（テレビ等の画面）に番組購入を選択させるための選択画面をオンスクリーン表示させることにより、ユーザに番組購入の有無を選択させる。この処理にて、購入が拒否された場合には、ステップＳ３４にてチャンネル番組の入力があった前の状態に戻す。一方、番組購入が実行された場合には、処理をステップＳ３３に移行する。
【００４６】上記ステップＳ３１によるペイパーピュー番組でないと判断された場合にも、同様に処理をステップＳ３３に移行する。即ち、ステップＳ３３３による処理では、購入動作が実行された場合及び該当番組がペイパービュー番組でなかった場合である。
【００４７】ステップＳ３３による処理では、ユーザーにより録画するか否かの選択を要求するための録画選択画面を画面上（図示せず）にオンスクリーン表示させ、録画の有無の判定を行い、判定結果が録画するものである場合には、処理をステップＳ３５に移行し、録画しないと判定された場合には、ステップＳ３７にて該番組の受信を開始するように制御する。
【００４８】従来のＣＳデジタル放送受信機では、ペイパービュー番組にのみコピープロテクトのかかる番組が存在したため、ペイパービュー番組の受信の時以外は、録画するかどうかの選択機能は設けられていなかった、しかし、本発明の録画設定制御方法では、全ての番組における受信を開始する前に、録画するか否かをユーザーによって選択することができようになっている。
【００４９】したがって、上記ステップＳ３３により録画しないと選択された場合には、ＯＳＤ機能を動作させた状態で番組の受信を開始するが、録画すると選択された場合には、ステップＳ３５による処理でＯＳＤ機能を停止させるように制御した後、ステップＳ３６による処理で、録画予約が開始することを記録再生装置（例えばＶＴＲ）に検知させるためにエンコード回路１０を制御して、特定の映像信号を一定時間出力させる。その後、ステップＳ３７による処理により、ペイパービュー番組の受信を開始する。
【００５０】即ち、制御回路２１によるエンコード回路１０の制御によって、特定の映像信号を図示しない表示手段の信号処理回路へと強制的に出力することにより、接続される記録再生装置としてのＶＴＲがこれを検出し、録画開始となる制御信号として認識して録画を自動的に開始することができる。特定の映像信号とは、ＣＳデジタル放送受信機とＶＴＲとの設計段階において、予め決められた信号形態のものであり、ＶＴＲ側がこの信号の入力を検出した場合に自動的に録画を開始するための信号である。したがって、ＶＴＲ側の信号検出を容易に行うようにするためには、信号の種類はできるだけ簡単な構成で且つ通常用いられていない信号形態のものを用いることが望ましい。
【００５１】特定の映像信号としては、例えば、図３に示すように、白信号と黒信号とを１フレーム（１／３０秒）ずつ交互に１秒間出力するような簡単な構成の信号を用いるようにしても良い。これにより、ＶＴＲ側では映像信号の明るさを検出しその変動の周期を監視することにより容易に識別可能である。尚、エンコード回路１０ではカラーバー、白信号、黒信号などの映像テストパターンは、制御回路２１の制御により容易に発生させることができ、それらの信号の切替は、フレーム周期程度の早さで十分切り替えることが可能である。
【００５２】したがって、以上説明したような制御方法を実施することにより、ＶＴＲに録画される信号にＯＳＤ信号が重畳されることを防止することができ、また、ＶＴＲを制御するための制御信号線が不要で且つユーザがＶＴＲを直接操作せずとも、自動的にＶＴＲはＣＳデジタル放送受信機が番組受信を開始した直後に録画を開始することが可能となる。これにより、ＯＳＤ表示がなされない映像信号に基づく画像のみを記録することが可能となり、また制御信号線が不要であることから、受信機器自体のコストアップを抑制することができるという効果を得る。
　
４．刊行物２に記載された技術事項
　上記【０００１】、【０００９】−【００１３】の記載によれば、デジタル放送受信機は、放送信号を受信し、所定チャンネルを選局し、復調して誤り訂正等を行い、デコード処理を施すことにより、圧縮符号化された映像・音声データを復元し、例えば表示手段における信号処理回路に供給することにより、画面上には映像信号に基づく画像が表示され、また音声として再生することができる装置であるといえる。
　また、【００２３】、【００２６】、【００２８】の記載によれば、デジタル放送受信機には、ＯＳＤ機能（オンスクリーン表示機能）が搭載されているが、従来の他のＢＳ受信機等の映像出力には、テレビ出力とＶＴＲ出力が別々に設けられており、ＶＴＲ出力には録画を考慮してＯＳＤ信号を多重しないようになっているのに対し、
「ＣＳデジタル放送受信機には、１系統の映像出力しかないため、出力する出力信号には、録画するしないに関わらずチャンネル切替時や電源ＯＮ／ＯＦＦ時などの予め決められたタイミングでＯＳＤ信号が多重されてしまう。該ＣＳデジタル放送受信機も同様に２系統の映像出力を設けるように構成すればよいが、通常のＯＳＤ信号が多重されたテレビ出力と、ＯＳＤが多重されていないＶＴＲ出力とを夫々独立させるためには、デコード回路及びエンコード回路を新たに夫々設けなくてはならず、大幅にコストアップしてしまうという不都合がある。」、
「回路規模縮小に伴うコスト的な理由から、映像及び音声の出力系統が１系統しか設けられていないことから、この出力信号には録画するしないに関わらずＯＳＤ信号が重畳されてしまい、その結果必要のないＯＳＤ信号も一緒に録画されてしまうという不都合もあった。」、
と記載されるように、「映像及び音声の出力系統が１系統しか設けられていないことから、この出力信号には録画するしないに関わらずＯＳＤ信号が重畳されてしまい、その結果必要のないＯＳＤ信号も一緒に録画され」る、あるいは、「２系統の映像出力を設けるように構成すればよいが、通常のＯＳＤ信号が多重されたテレビ出力と、ＯＳＤが多重されていないＶＴＲ出力とを夫々独立させるためには、大幅にコストアップ」する課題があったといえる。
　そして、上記課題を解決するための手段として、【００４５】−【００５２】の記載によれば、「ユーザーにより録画するか否かの選択を要求するための録画選択画面を画面上（図示せず）にオンスクリーン表示させ、録画の有無の判定を行い、判定結果が録画するものである場合には、処理をステップＳ３５に移行し、録画しないと判定された場合には、ステップＳ３７にて該番組の受信を開始するように制御」し、「上記ステップＳ３３により録画しないと選択された場合には、ＯＳＤ機能を動作させた状態で番組の受信を開始するが、録画すると選択された場合には、ステップＳ３５による処理でＯＳＤ機能を停止させるように制御した後、・・・ステップＳ３７による処理により、ペイパービュー番組の受信を開始・・・することにより、ＶＴＲに録画される信号にＯＳＤ信号が重畳されることを防止することができ、・・・ＯＳＤ表示がなされない映像信号に基づく画像のみを記録することが可能となり、・・・受信機器自体のコストアップを抑制することができるという効果を得る。」ことが記載されている。
　以上まとめると、刊行物２には、通常のＯＳＤ信号が多重されたテレビ出力と、ＯＳＤが多重されていないＶＴＲ出力とを夫々独立させるためには、コストアップしてしまうから、これを一つの出力端子とし、かつ、ＶＴＲに録画される信号にＯＳＤ信号が重畳されることを防止するために、オンスクリーン表示しているときに、録画の有無の判定を行い、判定結果が録画するものである場合には、ＯＳＤ機能を停止させるように制御した後、番組の受信を開始するように制御する構成が開示されているといえる。
　
第４　対比
　本願発明と刊行物１発明とを対比する。
　
４ａ）「ビデオ信号処理装置を制御する方法であって」
　刊行物１発明は「ディジタル放送を用いて送信された符号化された動画像データを受信し、上記受信した符号化された動画像データを復号して出力する受信機に関する方法」である。
　刊行物１発明の受信機は、「ディジタル放送を用いて送信された符号化された動画像データを受信し、上記受信した符号化された動画像データを復号して出力」するものであり、刊行物１発明の動画像データは、ビデオ信号と称してもよいことは明白である。そして、刊行物１発明の受信機は、上記ビデオ信号を受信し符号化された動画像データを復号化しているから、上記ビデオ信号を処理する装置、すなわち、ビデオ信号処理装置といえる。
　そして、刊行物１発明は、図１０も参酌すると、アンテナ（１、３０）で受信した放送信号を、モニタ（１８）、記録装置（２７）に出力する際に、上記ビデオ信号の処理を行うため上記受信機の構成要素を制御しているといえるから、上記受信機に関する方法の発明は、受信機の制御に関する方法の発明であるといえる。
　以上のことから、刊行物１発明は「ビデオ信号処理装置を制御する方法で」あるといえる。
　
４ｂ）「ビデオ信号源から第１のビデオ信号及び第２のビデオ信号を受信する段階と」
　刊行物１発明は「デジタル放送の番組の信号を受信する段階、及びアナログ放送の番組の信号を受信する段階」を有している。
　デジタル放送の番組の信号、アナログ放送の番組の信号は、それぞれ、デジタルビデオ信号、アナログビデオ信号ということができ、これらのビデオ信号は、衛星や地上波等を介して放送局から送信さた放送波を受信している得ていることは技術常識であって、上記放送局はビデオ信号の源、すなわち、ビデオ信号源といえる。
　また、デジタルビデオ信号は「第１のビデオ信号」、アナログビデオ信号は「第２のビデオ信号」と称してもよいといえる。
　以上まとめると、刊行物１発明は、「ビデオ信号源から第１のビデオ信号及び第２のビデオ信号を受信する段階」を有している。
　
４ｃ）「イメージャ装置上に表示するのに好適な、前記第１のビデオ信号の画像を含む出力信号を供給するよう前記ビデオ信号を処理する段階」
　刊行物１発明は、「ディジタル放送による画像データは、表示されるのに必要な処理がなされモニタ１８に供給される段階」を有している。
　上記４ｂ）で検討したように、ディジタル放送の番組の信号（ディジタル放送による画像データ）は第１のビデオ信号といえる。
　また、刊行物１発明のモニタ１８はイメージャ装置といえる。
　したがって、第１のビデオ信号は、表示されるのに必要な処理がなされイメージャ装置に供給されるといえ、いいかえると、刊行物１発明は、イメージャ装置上に表示されるのに必要な（適した）、前記第１のビデオ信号の画像を含む出力信号を供給するよう前記ビデオ信号を処理する段階を有しているといえるから、刊行物１発明は、「イメージャ装置上に表示するのに好適な、前記第１のビデオ信号の画像を含む出力信号を供給するよう前記ビデオ信号を処理する段階」を有しているといえる。
　
４ｄ）「ユーザ入力装置を介してユーザ選択コマンドを受信する段階」
　刊行物１発明は、「ユーザが、リモコン等の操作手段を用いて「アナログ放送表示」、「ディジタル放送表示」、「ピクチャインピクチャ表示」を適宜選択する段階」を有している。
　刊行物１発明のリモコン等の操作手段はユーザ入力装置といえることは明らかであり、ユーザが「アナログ放送表示」、「ディジタル放送表示」、「ピクチャインピクチャ表示」を適宜選択する段階を有しているということは、刊行物１発明の受信機は、上記選択（ユーザ選択コマンド）を受け付ける（受信する）段階を有しているといえる。
　したがって、刊行物１発明はユーザ入力装置を介してユーザ選択コマンドを受信する段階を有しているといえる。
　
４ｅ）「複数のユーザ作動表示機能のうちの特定の１つのユーザ選択に応答して、前記複数のユーザ作動表示機能のうちの１つに応じた、前記第１のビデオ信号の画像上にオーバレイして前記第２のビデオ信号の画像を含む出力信号を供給する段階」
　本願発明の「ユーザ作動表示機能」は、発明の詳細な説明を参酌すると、
「テレビ受像機といった近代のビデオ装置は、一般的に、ユーザの視聴経験を高めるよう様々なユーザによって作動されるユーザ作動表示機能をユーザに与える。例えば、特定のビデオ装置は、画像のサイズを効果的に変更し、画像の所望の部分を表示装置上に表示することをユーザに可能にするビデオサイジング機能（例えば、ストレッチ、ズーム、標準等）といったユーザ作動表示機能を提供する。番組ガイド、ブラウザ、ピクチャ・イン・ピクチャ（ＰＩＰ）等の他の機能も、特定のビデオ装置によって提供される機能のうちに含まれる。」（【０００２】）、
「ビデオサイジング機能、番組ガイド機能、ブラウザ機能、ピクチャ・イン・ピクチャ（ＰＩＰ）機能、又は他の表示機能といった装置１００の様々なユーザ作動表示機能を有効にするよう動作可能である。」（【００１７】）
とあるから、ビデオ装置が（ビデオ画像の）表示を行う際に付加する「ビデオサイジング機能、番組ガイド機能、ブラウザ機能、ピクチャ・イン・ピクチャ（ＰＩＰ）機能」のような機能を指すものといえる。
　すなわち、「複数のユーザ作動表示機能のうちの特定の１つのユーザ選択」は、「ビデオサイジング機能、番組ガイド機能、ブラウザ機能、ピクチャ・イン・ピクチャ（ＰＩＰ）機能」のような機能が複数有り、このうちの特定の１つを選択していることといえる。
　刊行物１発明は「ユーザがリモコン等の操作手段を用いて「ピクチャインピクチャ表示」を選択したとき、ディジタル放送の画像データとアナログ放送の画像データとを合成した信号（PinP信号）をモニタ１８に映し出す段階」を有している。
　ディジタル放送の画像データ、アナログ放送の画像データは、それぞれ、上記４ｂ）のデジタルビデオ信号、アナログビデオ信号であるから、第１のビデオ信号、第２のビデオ信号といえる。
　したがって、刊行物１発明のディジタル放送の画像データとアナログ放送の画像データとを合成した信号（PinP信号）は、前記第１のビデオ信号の画像上にオーバレイして前記第２のビデオ信号の画像を含む出力信号といえる。
　刊行物１発明において、上記合成した信号を出力するのは、上記４ｄ）で検討したように、ユーザが「アナログ放送表示」、「ディジタル放送表示」、「ピクチャインピクチャ表示」のうちの「ピクチャインピクチャ表示」を選択したときであるといえる。
　以上のことから、刊行物１発明は「ユーザ選択に応答して、前記第１のビデオ信号の画像上にオーバレイして前記第２のビデオ信号の画像を含む出力信号を供給する段階」を有しているといえる。
　刊行物１発明の「アナログ放送表示」、「ディジタル放送表示」、「ピクチャインピクチャ表示」のうち、「ピクチャインピクチャ表示」は、上記ユーザ作動表示機能といえるが、「アナログ放送表示」、「ディジタル放送表示」は上記ユーザ作動表示機能とはいえないから、刊行物１発明では、複数の作動表示機能から１つの機能を選択しているとはいえない。
　すなわち、本願発明では、複数のユーザ作動表示機能のうちの特定の１つのユーザ選択、すなわち、ユーザ作動表示機能が複数あって、その複数のユーザ作動表示機能のうちから一つのユーザ作動表示機能を選択しているのに対し、刊行物１発明では、ユーザ作動表示機能としては「ピクチャインピクチャ表示」の一つしかなく、上記「ピクチャインピクチャ表示」のみ選択を行っている点で異なるといえる。
　以上まとめると、本願発明と刊行物１発明とでは、「ユーザ選択に応答して、前記第１のビデオ信号の画像上にオーバレイして前記第２のビデオ信号の画像を含む出力信号を供給する段階」を有している点で一致しているが、上記ユーザ選択が、本願発明では、複数のユーザ作動表示機能のうちの特定の１つのユーザ選択、すなわち、ユーザ作動表示機能が複数あって、その複数のユーザ作動表示機能のうちから一つのユーザ作動表示機能を選択しているのに対し、刊行物１発明では、ユーザ作動表示機能の選択としては「ピクチャインピクチャ表示」の一つしかなく、上記「ピクチャインピクチャ表示」のみの選択である点で異なるといえる。
　
４ｆ）「前記出力信号をビデオ信号記録装置に結合するための出力端子に、前記第１のビデオ信号の画像を含む出力信号、又は前記第１のビデオ信号の画像上にオーバレイして前記第２のビデオ信号の画像を含む出力信号を供給する段階」
　刊行物１発明は、「ディジタル放送の画像データとアナログ放送の画像データとを合成した信号（PinP信号）は表示のために出力し、ディジタル放送のデコードした動画像データの信号のみ（記録装置27に出力するための）出力端子に出力する段階」を有している。
　（記録装置27に出力するための）出力端子は、出力信号をビデオ信号記録装置に結合するための出力端子といえる。
　上記４ｂ）で検討したように、刊行物１発明の「ディジタル放送のデコードした動画像データの信号」は、本願発明の「第１のビデオ信号の画像を含む出力信号」に対応するから、刊行物１発明は「前記出力信号をビデオ信号記録装置に結合するための出力端子に、前記第１のビデオ信号の画像を含む出力信号を供給する段階」を有しているといえる。
　もっとも、本願発明では、「前記出力信号をビデオ信号記録装置に結合するための出力端子に、前記第１のビデオ信号の画像上にオーバレイして前記第２のビデオ信号の画像を含む出力信号を供給する段階」も有しているのに対し、刊行物１発明では、「上記前記第１のビデオ信号の画像上にオーバレイして前記第２のビデオ信号の画像を含む出力信号」に対応する「ディジタル放送の画像データとアナログ放送の画像データとを合成した信号（PinP信号）」は、表示のために出力するのみで、前記出力信号をビデオ信号記録装置に結合するための出力端子に供給していない点で相違する。
　
４ｇ）「記録機能のユーザ選択に応答して前記記録機能の作動を検出し、前記記録機能の作動の検出に応答して、
　　前記複数のユーザ作動表示機能のうちの前記特定の１つが作動しているかを、アクティブにされているユーザ作動表示機能を指し示すフラグ設定を用いることによって検出し、作動している場合、前記の、以前の、複数のユーザ作動表示機能のうちの特定の１つのユーザ選択を自動的に無効にし、前記出力端子に前記第１のビデオ信号の画像を含む出力信号を供給する段階」
　刊行物１発明は、記録機能の作動を検出することや、上記検出に応答して出力端子に出力する信号を制御する構成は有していない。
　したがって、刊行物１発明は、「記録機能のユーザ選択に応答して前記記録機能の作動を検出し、前記記録機能の作動の検出に応答して、
　　前記複数のユーザ作動表示機能のうちの前記特定の１つが作動しているかを、アクティブにされているユーザ作動表示機能を指し示すフラグ設定を用いることによって検出し、作動している場合、前記の、以前の、複数のユーザ作動表示機能のうちの特定の１つのユーザ選択を自動的に無効にし、前記出力端子に前記第１のビデオ信号の画像を含む出力信号を供給する段階」を有していない点で本願発明と相違する。
　
４ｈ）まとめ（一致点、相違点）
　以上まとめると、本願発明と刊行物１発明とは以下の一致点で一致し相違点で相違する。
　
（一致点）
　ビデオ信号処理装置を制御する方法であって、
　ビデオ信号源から第１のビデオ信号及び第２のビデオ信号を受信する段階と、
　イメージャ装置上に表示するのに好適な、前記第１のビデオ信号の画像を含む出力信号を供給するよう前記ビデオ信号を処理する段階と、
　ユーザ入力装置を介してユーザ選択コマンドを受信する段階と、
　ユーザ選択に応答して、前記第１のビデオ信号の画像上にオーバレイして前記第２のビデオ信号の画像を含む出力信号を供給する段階と、
　前記出力信号をビデオ信号記録装置に結合するための出力端子に、前記第１のビデオ信号の画像を含む出力信号を供給する段階と、
　を含む方法。
　
（相違点）
相違点１
　ユーザ選択が、本願発明では、複数のユーザ作動表示機能のうちの特定の１つのユーザ選択、すなわち、ユーザ作動表示機能が複数あって、その複数のユーザ作動表示機能のうちから一つのユーザ作動表示機能を選択しているのに対し、刊行物１発明では、ユーザ作動表示機能の選択としては「ピクチャインピクチャ表示」の一つしかなく、上記「ピクチャインピクチャ表示」のみの選択である点
　
相違点２
　本願発明では、「前記出力信号をビデオ信号記録装置に結合するための出力端子に、前記第１のビデオ信号の画像上にオーバレイして前記第２のビデオ信号の画像を含む出力信号を供給する段階」も有しているのに対し、刊行物１発明では、「上記前記第１のビデオ信号の画像上にオーバレイして前記第２のビデオ信号の画像を含む出力信号」に対応する「ディジタル放送の画像データとアナログ放送の画像データとを合成した信号（PinP信号）」は、表示のために出力するのみで、前記出力信号をビデオ信号記録装置に結合するための出力端子に供給していない点
　
相違点３
　刊行物１発明は、「記録機能のユーザ選択に応答して前記記録機能の作動を検出し、前記記録機能の作動の検出に応答して、
　　前記複数のユーザ作動表示機能のうちの前記特定の１つが作動しているかを、アクティブにされているユーザ作動表示機能を指し示すフラグ設定を用いることによって検出し、作動している場合、前記の、以前の、複数のユーザ作動表示機能のうちの特定の１つのユーザ選択を自動的に無効にし、前記出力端子に前記第１のビデオ信号の画像を含む出力信号を供給する段階」を有していない点
　
第５　判断 
　上記相違点について検討する。
　
５ａ）相違点１について
　刊行物１の図１０を参酌すると、ＯＳＤ１３、ＯＳＤ１５のブロックも存在しており、刊行物１の【００２０】、【００２５】、【００２６】の記載を参酌すると、上記ＯＳＤ１３、ＯＳＤ１５のブロックは、「ミックスするオンスクリーンデータは、前記したクローズドキャプションの字幕データ」や、「番組ガイドなどのグラフィックスデータ」を入力画像データにミックスするものであるといえる。
　上記「番組ガイドなどのグラフィックスデータ」を入力画像データにミックスすることは、本願明細書の番組ガイド機能といえるから、本願発明のユーザ作動表示機能の一つともいえることは明らかであり、上記ＯＳＤの機能について、刊行物１にはピクチャインピクチャ表示との関係について格別の記載はないが、通常、番組ガイド機能のようなＯＳＤ表示は、刊行物１発明で認定したピクチャインピクチャ表示（機能）とは独立して動作することが技術常識であるから、刊行物１には、複数のユーザ作動表示機能を有し、その表示機能を選択することが示唆されているといえる。
　したがって、刊行物１発明において、ユーザ作動表示機能が複数あって、その複数のユーザ作動表示機能のうちから一つのユーザ作動表示機能を選択する構成を想起することは、当業者が容易になしえたことであり、刊行物１発明に相違点１の構成を適用することは当業者が容易になしえたことである。
　
５ｂ）相違点２、相違点３について
　上記相違点２にかかる刊行物１発明の構成は、上記第２　２．（２ｇ）によれば「ディジタル放送の画像データとアナログ放送の画像データとを合成した信号（PinP信号）は表示のために出力し、ディジタル放送のデコードした動画像データの信号のみ（記録装置27に出力するための）出力端子に出力する段階」であり、ディジタル放送の画像データとアナログ放送の画像データとを合成した信号（PinP信号）は、表示のために出力し、ビデオ信号記録装置に結合するための出力端子には、ディジタル放送のデコードした動画像データの信号を出力している構成といえる。
　ところで、上記第２　４．で検討した刊行物２に記載された課題は、「通常のＯＳＤ信号が多重されたテレビ出力と、ＯＳＤが多重されていないＶＴＲ出力とを夫々独立させるためには、コストアップしてしまう」とあり、上記刊行物１発明のPinP信号は表示（テレビ出力）のため出力し、ディジタル放送のデコードした動画像データの信号はビデオ信号記録装置に結合するための出力端子に出力する構成は、上記出力のための構成が二重に必要であるという点で、刊行物２に記載された上記課題と同様の課題を有していることは、当業者であれば普通に想起し得たことである。
　したがって、刊行物１発明において、上記出力のための構成を二重に有する構成を一つの出力端子で構成するために、刊行物２に記載された構成を採用しようとすることは、当業者であれば容易になしえたことであるといえる。
　そして、上記刊行物１発明に刊行物２に記載された技術を適用すると、PinP信号が出力される端子とビデオ信号記録装置に結合するための出力端子とをまとめて一つの出力端子とし、かつ、ＶＴＲに録画される信号にPinP信号が重畳されることを防止するために、PinP表示しているときに、録画の有無の判定を行い、判定結果が録画するものである場合には、PinP表示機能を停止させるように制御した後、番組の受信を開始するように制御する構成とすることは、当業者が容易になしえたことである。
　上記PinP表示機能を停止させるために、PinP表示機能が動作しているか否か判定することは常套手段であり、また、画像表示の機能が動作しているか否かをフラグで検出することは周知の技術事項（必要とあれば、実願平４−６２０６５号（実開平６−１９１９１号）のＣＤ−ＲＯＭ、特開平８−１４７８０２号公報（例えば【００５７】−【００６８】等）、特開平１１−４１４８９号公報（例えば【００１４】、【００３７】）参照）であるから、上記刊行物１発明に刊行物２に記載された技術事項を、上記周知の技術事項も含めて適用し、相違点２、相違点３の構成とすることは当業者が容易になしえたことである。
　
第６　効果
　以上のように、上記相違点は当業者が容易に想到し得たものと認められ、本願発明全体としてみても格別のものはなく、その作用効果も、上記構成の採用に伴って当然に予測される程度のものにすぎず、格別顕著なものがあるとは認められない。
　
第７　むすび 
　以上、本件出願の請求項１に係る発明は、刊行物１、刊行物２に記載された発明及び周知技術に基づいて、当業者が容易に発明をすることができたものであるから、特許法第２９条第２項の規定により特許を受けることができない。 
　したがって、残る請求項２ないし請求項４に係る発明について検討するまでもなく、本件出願は拒絶をすべきものである。 
　よって、結論のとおり審決する。